(57)【要約】【課題】表示駆動装置において従来の表示モードの表示機能に加えて、非表示モード内においてピン数を増やすことなく、表示機能を向上する。【解決手段】本発明の表示駆動装置は、複数の駆動装置のセットからなり、各駆動装置に対して、通常イメージデータが転送されるシリアルデータ入力ピン及び出力ピンが、さらに外部制御装置からのコマンド及び／又はそれに対して駆動装置の内部ステータスを割り当てるものである。このため、コマンド転送及び／又はステータスフィードバックは新たなピンを付加することなく達成できる。【選択図】        図１
2004177918.tif 000002
【特許請求の範囲】
【請求項１】
表示装置の複数の駆動装置セットからなり、
該各駆動装置は、少なくとも１つのシリアルバッファ、イメージデータを受けるための少なくとも一つのシリアルデータ入力（ＳＤＩ）ピン、イメージデータを転送するための少なくとも一つのシリアルデータ出力（ＳＤＯ）ピン、及び該ＳＤＩピン及びＡＤＯピンを通じて該シリアルバッファに連続的にシフトし、出力するイメージ及び／又はコマンド及び／又はステータスデータ、を形成するクロックピンからなり、
そして、該駆動装置は、駆動装置１、駆動装置２、・・・、駆動装置Ｐ−１、及び駆動装置Ｐによって規定されるカスケード及びシーケンス方式により接続され、ここで、Ｐは、１より大きい整数であって、
該駆動装置１のＳＤＩピンは、さらに外部の制御装置からコマンドを受け、該ＳＤＯピンは、それによってさらにコマンド及び／又は該駆動装置１のステータスを転送し
該駆動装置２のＳＤＩピンは、さらにコマンド及び／又は駆動装置１のＳＤＯピンからのステータスを受け、
該ＳＤＯピンはそれによりさらにコマンド及び／又は該駆動装置１及び２の内部ステータスを転送し、・・・、
以下順次繰り返して、
該駆動装置ＰのＳＤＩピンは、さらにコマンド及び／又は該駆動装置Ｐ−１のＳＤＯピンからのステータスを受け、
そして、該クロックピンは、同期信号ソースのセットにより全体的に制御されることを特徴とする表示駆動装置。
【請求項２】
表示装置の複数の駆動装置セットからなり、
該各駆動装置は、少なくとも１つのシリアルバッファ、イメージデータを受けるための少なくとも一つのシリアルデータ入力（ＳＤＩ）ピン、イメージデータを転送するための少なくとも一つのシリアルデータ出力（ＳＤＯ）ピン、及び該ＳＤＩピン及びＡＤＯピンを通じて該シリアルバッファに連続的にシフトし、出力するイメージ及び／又はコマンド及び／又はステータスデータ、を形成するクロックピンからなり、
そして、各々の駆動装置は、駆動装置１、駆動装置２、・・・、駆動装置Ｐ−１、及び駆動装置Ｐによって規定されるカスケード及びシーケンス方式により接続され、ここで、Ｐは、１より大きい整数であって、
該駆動装置１のＳＤＩピンは、さらに外部の制御装置からコマンドを受け、該ＳＤＯピンは、それによってさらにコマンド及び／又は該駆動装置１のステータスを転送し
該駆動装置２のＳＤＩピンは、さらにコマンド及び／又は駆動装置１のＳＤＯピンからのステータスを受け、
ＳＤＯピンはそれによりさらに該駆動装置１、２、・・・、Ｐの内部ステータスを外部制御装置に対して転送し、該ＳＤＯピンはそれによりさらにコマンド及び／又は該駆動装置１及び２の内部ステータスを転送し、・・・、
以下順次繰り返して、
該駆動装置ＰのＳＤＩピンは、さらにコマンド及び／又は該駆動装置Ｐ−１のＳＤＯピンからのステータスを受け、
ＳＤＯピンはそれによりさらに該駆動装置１、２、・・・、Ｐの内部ステータスを外部制御装置に対して転送し、
そして、該クロックピンは、同期信号ソースのセットにより全体的に制御されることを特徴とする表示駆動装置。
【請求項３】
少なくとも一つの表示装置を駆動する装置は、上記表示装置の点灯作用の機能を持つ表示モードと、上記表示装置の点灯以外の作用の機能を持つ非表示モードを働かせる能力を有し、そこで上記駆動装置はＮビットのシリアルバッファ、少なくとも一つ以上のＫビットの拡張レジスタ、Ｎビットの画像データレジスタ、Ｎ個の出力ポート、出力設定回路、Ｎ個の出力ピン、クロックピン、シリアルデータ入力(SDI)ピン、シリアルデータ出力(SDO)ピン、第一制御ピン、第二制御ピンが含まれ、
Ｎは１より大きい整数であり、
Ｋは１以下の整数であり、
上記出力設定回路と上記画像データレジスタは、上記出力ポートに接続され、上記拡張レジスタ、上記非表示モードの対応する信号によって動作可能になる場合、上記駆動装置のステータスを上記シリアルバッファへ転送し/または上記シリアルバッファからコマンドを受け取り、この上記コマンドは外部制御装置から送られ、
各々の上記出力ピンは、それぞれ一つの上記出力ポートに接続され、また同様に対応する表示装置を駆動し、
上記SDIピンは上記シリアルバッファと接続され、また同様に画像データを受け取り、さらにコマンドと/或はステータスを受け取り、
上記SDOピンは上記シリアルバッファと接続され、また同様に画像データを転送し、さらにコマンドと/或はステータスを転送し、
上記クロックピンはクロック信号を受け取り、画像と/またはコマンドと/またはステータスデータを作り、上記SDIピンと上記SDOピンを通った上記シリアルバッファから連続的にシフトされ、
上記第一制御ピンは、同時にデータを上記画像データレジスタへ転送する上記シリアルバッファを制御し、
上記第二制御ピンは、出力ポートが駆動エネルギー、電流又は電圧を出力ピンに配分する事を可能にすることを特徴とする表示駆動装置。
【請求項４】
拡張レジスタは、上記非表示モードにおいて、上記シリアルバッファへ上記駆動装置のステータスを転送する能力があるステータスレジスタであるという特徴をもつ請求項３記載の装置であることを特徴とする表示駆動装置。
【請求項５】
コマンドレジスタは、上記非表示モードにおいて、上記シリアルバッファからコマンドを受け取る能力があるステータスレジスタであるという特徴をもつ請求項３記載の装置であることを特徴とする表示駆動装置。
【請求項６】
上記拡張レジスタを動作可能にする上記対応信号は、上記第一制御ピンと上記第二制御ピンからプリセット信号を受け取っている間の、その上記モードスイッチ回路から送られる、という特徴をもつ請求項３記載の装置であることを特徴とする表示駆動装置。
【請求項７】
上記モードスイッチ回路は、上記クロックピンによって決定される不連続な時間配列を基本に、時間の連続の中で上記プリセット信号を同時に受け取る、という特徴をもつ請求項６記載の装置であることを特徴とする表示駆動装置。
【請求項８】
上記プリセット信号は、上記第二制御ピンによって受けとられる上記第一制御ピンを含み、第二信号は第一信号に続き、上記第一制御ピンによって受け取られ、したがって上記駆動装置は、上記表示モードから上記非表示モードへ切り替えられる、という特徴をもつ請求項６記載の装置であることを特徴とする表示駆動装置。
【請求項９】
上記プリセット信号は、上記第二制御ピンによって受けとられる上記第一制御ピンを含み、もとのままの第二信号は、上記継続期間中の上記第一制御ピンによって連続的に受け取られ、したがって上記駆動装置は、上記非表示モードから上記表示モードへ切り替えられる、という特徴をもつ請求項６記載の装置であることを特徴とする表示駆動装置。
【請求項１０】
駆動表示装置及び装置セットは、上記セットは請求項３記載のP個の装置を構成し、またそれは駆動装置１、駆動装置２、…、駆動装置P-1、そして駆動装置Pと連続に直列で接続されていると定義され、
Pは１より大きい整数であり、
上記駆動装置１の上記SDIピンは、画像データと/或はコマンドを外部制御装置から受け取り、上記SDOピンはそこから上記駆動装置１の画像データと/或はコマンドと/或は内部ステータスを転送し、
上記駆動装置２の上記SDIピンは、画像データと/或はコマンドと/或はステータスを上記駆動装置１の上記SDIピンから受け取り、上記SDOピンはそこから上記駆動装置１と２の画像データと/或はコマンドと/或は内部ステータスを転送し、
…、以下順次繰り返して、
上記駆動装置Pの上記SDIピンは、画像データと/或はコマンドと/或はステータスを上記駆動装置P-1の上記SDIピンから受け取り、
上記クロックピンは一般に同期信号ソースのセットによってコントロールされることを特徴とする表示駆動装置。
【請求項１１】
上記駆動装置Pの上記SDOピンはさらに上記駆動装置１、２、…、Pの内部ステータスを上記外部制御装置へ転送する事を特徴とする請求項１０記載の装置セットであることを特徴とする表示駆動装置。
【発明の詳細な説明】
【０００１】
【発明の属する技術分野】
本発明は、特に駆動表示装置に適した装置セットに類する。本発明は、また、セットとして構成されるタイプに適した駆動装置に類する技術分野に属する。
【０００２】
【従来の技術】
従来の駆動装置は、例えば発光ダイオードや蛍光管を用いた表示装置の駆動に適用した。表示装置は、通常平面に形成されたマトリックス状に配列され、例えば、画像や写真、ビデオのような集積された、平面視覚情報を表す。表示装置は、視覚情報を個別に表示作用をするピクセルであり、駆動装置によって個々に駆動される。
駆動装置へ送られ、各々独立しているピクセルに対する画像データレジスタに蓄積される画像データを変えることによって、その視覚内容を様々な内容に応じて表示する事が出来る。
駆動装置の効果的なコスト削減は、例えば集積回路チップのパッケージコスト、適用されている特定のパッケージピンによる。５つの信号ピンと出力ポートと同じ数のピンを用いるだけで、画像データは駆動装置と照明表示装置へ送られる。図５が示すように、そこには余分なピンは存在しない。
一般に駆動装置は、電流設定回路916とN個の電流出力ポート915、N個の電流出力ピン、Nビットのシリアルバッファ911とNビットの画像データレジスタ914で構成される。
シリアルバッファ911は、クロック(CLK)とシリアルデータ入力(SDI)、シリアルデータ出力(SDO)の３つの信号ピンにより慣例的に機能する。
一つ以上の装置が直列になっているとき、全ての装置のクロックピンは一般に同期信号ソースのセットによってコントロールされる。
そのシリアルバッファ911のデータは、制御信号ピンLE!によって画像データレジスタ914へ同時に転送する。
信号ピンがOE!の時、信号を受ける事が可能で、出力ポート915は伝送駆動エネルギー（電流或は電圧）の受容能力があり、画像データレジスタの内容によって少なくとも発光ダイオードが点灯する。
画像データレジスタにある内容は、０または1にセットされる。もし、１で発光ダイオードが点灯されるのなら、０では発光ダイオードは点灯しない。
高精度化し、高度な制御特性を付与し、さらにフィードバック機能を向上するには、通常、駆動装置においてより機能的な回路設計・製造となろう。しかしながら、それらを付加された特性を発揮するには、更なる入力ピンと出力ピンが常に必要となる。
【０００３】
【発明が解決しようとする課題】
駆動表示装置及び装置セットを提供するにあたっての本発明の目的の一つは、従来の照明表示装置の機能を持っており、ピン数を増すことなく、コマンドトランスファと/或はステータスフィードバックするという発明の特徴を付与することに有る。
【０００４】
駆動表示装置の装置を提供するにあたっての本発明の他の目的として、従来の表示モードの照明表示装置機能を持っており、非表示モード内においてピン数を増やすことなく、コマンドトランスファと/或はステータスフィードバックするという発明の特徴を提示している。
【０００５】
【課題を解決するための手段】
この詳述に於いて「表示モード」は、照明表示装置の機能のモードであると指し示しており、また「非表示モード」は照明表示装置以外の機能のモードであると指摘する。そのうえピンについての詳述は、ピンの形の意に限定せず、また導線、抵抗線は受信、または転送情報、データ、信号を意味する。もしも画像データレジスタの内容で、発光ダイオードが点灯しないのなら、それを無画像データと呼ぶ。一般的に無画像データはフィードバックされ、駆動装置から読み込まれ、これをステータスと呼ぶ。
以上述べてきた目的を達成する手段として、各々の駆動装置に少なくともクロックピンとシリアルバッファ、画像を受け取るためのシリアルデータ入力(SDI)ピンが、また、画像を転送するためのシリアルデータ出力(SDO)ピンをセットしておかなくてはならない。
このクロックピンはクロック信号を受け取り、また、画像と/或はコマンドと/或はステータスデータは連続的にシフトされ、SDIピンとSDOピンを通ったシリアルバッファから/へ出力される。
全ての駆動装置においてクロックピンは、一般に同時信号源のセットによってコントロールされている。
駆動装置は直列につながれ、駆動装置１、駆動装置２、…、駆動装置P-１、駆動装置P、Pは１以上の整数で、連続して起る事を定義とする。
加えて駆動装置１のSDIピンは、外部の制御装置からコマンドをさらに受け取り、SDOピンはそこから駆動装置１のコマンドと/或は内部ステータスをさらに転送する。
駆動装置２のSDIピンは、駆動装置１のSDOピンからコマンドと/或は内部ステータスをさらに受け取り、SDOピンはそこから駆動装置１と２のコマンドと/或は内部ステータスをさらに転送する。
これに類似し、駆動装置PのSDIピンは、駆動装置P-１のSDOピンからコマンドと/或はステータスをさらに受け取る。
一般には駆動装置の内部ステータスは、SDIピンとSDOピンによって転送され、そこからステータスフィードバックは閉回路からの外部制御装置と駆動装置PのSDOピンとをつなぐ事によってさらに完遂される。
本発明は少なくとも１つの表示装置をもつ駆動装置であり、表示モードと非表示モードにおいて働く。
Ｎビットのシリアルバッファ、SDIピン、SDOピン、クロックピンに加えて本来駆動装置には少なくとも一つのＫビットの拡張レジスタ、Ｎビットの画像レジスタ、Ｎ個の出力ポート、出力設定回路、Ｎ個の出力ピン、第一制御ピンと第二制御ピンが含まれており、このＮは１より大きい整数であり、ＫはＮ以下の整数である。
例えば出力設定回路や電流設定回路、画像データレジスタは、出力ポートとつながれている。
外部制御装置は非表示モードの信号と対応するものによってスイッチを入れられた時、駆動装置の状態をシリアルバッファへ転送し/或はシリアルバッファからコマンドを受け取る。
各々の出力ピン、例えば電流出力ピンなどは、例えばそれぞれの出力ポート、電流出力ポートとつながれ、また同様に対応する表示装置が駆動する。
第一制御ピン、例えばラッチイネィブルピンなどは、シリアルバッファが画像データレジスタへ同時にデータを転送する事を制御する。
第二制御ピン、例えば出力ネィブルピンなどは、出力ポートに駆動エネルギー、電流、電圧を出力ピンに伝える事を可能にする。
拡張レジスタは、駆動装置の内部ステータスをシリアルバッファへ転送する能力があるステータスレジスタであるか、もしくは、非表示モードにおいてのシリアルバッファからのコマンドを受信する能力があるコマンドレジスタである。
拡張レジスタ作動可能による対応信号は、モードスイッチ回路が第一制御ピンと第二制御ピンからプリセット信号を受けている間に、モードスイッチ回路から送られる。
特にモードスイッチ回路はクロックピンとつなげられ、同時に、クロックピンによって決定される不連続時間配列を基礎にしたプリセット信号を受け取る。
表示モードから非表示モードへの駆動装置の切り替えをする手段として、前述のプリセット信号は、第二制御ピンによって第一信号を受け取る事ができ、第二信号は第一信号によって随行され、第一制御ピンによって受け取る。
一方非表示モードから表示モードへの駆動装置の切り替えをする手段として、プリセット信号は、第二制御ピンによって第一信号を受け取る事ができ、そのままの第二信号を第一制御ピンによって続けて受け取る。
優越な他の目的と発明の新たな特徴は、図を付随し、詳細記述によりさらに明白となるだろう。
【０００６】
【発明の実施の形態】
図１は本発明による駆動セット１の具体的態様を示している。この実施例では、駆動セット１は、８ビットの、番号１０,２０,３０及び４０で示されている４つの同じ駆動装置から成り立っている。駆動装置１０、２０、３０及び４０は直列に接続され、４×８に配列されている発光ダイオードLEDを駆動する。駆動セット１は、外部制御装置８と接続されて、閉回路となっている。その中の制御装置８は例えばコード化などの一般的な機能を実行することができる。
【０００７】
図２は駆動装置１０の内部構造を示しており、８ビットのシリアルバッファ１１と４ビットのコマンドレジスタ１２、４ビットのステータスレジスタ１３、８ビットの画像データレジスタ１４、８個の電流出力ポート151-158、電流設定回路１６、モードスイッチ回路１７、アナログ／デジタル変換器１８、８個の電流出力ピン191-198、クロックピンCLK-1、シリアルデータ入力ピンSDI-1、シリアルデータ出力ピンSDO-1、ラッチイネィブルピンLE!-1、出力イネィブルピンOE!-1らが含まれている。全ての駆動装置に対して、クロックピンは同期信号源セットによって共通に制御される。
駆動装置1０が表示モードにおいて作動している時、画像データレジスタの中の内容により、出力ポート151-158は少なくともそれぞれに対応する出力ピンを通して、発光ダイオードを個々に点灯することができる。クロック信号は、クロックピンCLK-1を通りシリアルバッファへ送られ、画像と/或はコマンドと/或はステータスデータを構成し、SDI-1ピンとSDO-1ピンを通ったシリアルバッファ１1から連続的にシフトする。表示モードにおいて、シリアルデータは元来画像データのみ含まれている。これら画像データは、シリアルバッファ１1から画像データレジスタ１４へ、ピンLE!-1によってラッチイネィブル信号を受け取っている間、同時に転送される。これらの画像データはさらに画像データレジスタ１４から電流出力ポート151-158へ転送される。このピンOE!-1は、電流出力ポート151-158に、電流設定回路１６からの対応する電流出力ピン191-198の伝送駆動電流を伝える事を可能にし、対応する発光ダイオードが点灯される。
表示モードにおいて行われる上記作用は、従来の駆動装置において良く知られている。しかしながら、本発明においては、コマンド転送とステータスフィードバックの機能を加え、さらに非表示モードにおいて、新たなピンを必要としない方法を提示する。ピンLE!-1とOE!-1は、表示モードと非表示モードとの間の駆動装置の切り替えるタイミングを決定する。この実施例では図２に示すようにピンLE!-1とOE!-1は個々にモードスイッチ回路１７と接続され、同期法を適用する。ピンCLK-1は、不連続時間配列を基礎に数えられた時間単位Tを供給する。
【０００８】
図３は駆動装置１０が表示モードから非表示モードへ入る決定をするプレセットシークエンスを示している。このシークエンスにおいて持続時間T0の間に生じる位相1-1と位相1-2が判別される。
１）パルス幅T1の第一プリセット信号がピンOE!によって受け取られる場    合、駆動装置１０は位相1-1に入る。
２）位相1-1に入った後、パルス幅T２の第二プリセット信号はピンLE!      によって受け取られ、位相1-2は終了すると表示され、駆動装置１        ０は表示モードから非表示モードに入る。
非表示モードに入っている時、コマンドレジスタ１２とステータスレジスタ１３、モードスイッチ回路１７は動作可能な状態になる。
一つの可能状態に対し、どの発光ダイオードも点灯されない場合、モードスイッチ回路１７はステータスレジスタ１３、駆動装置１０の内部ステータスをシリアルバッファ１１の転送を生じさせる制御装置としての信号を送る。
この様なステータス情報は、最後には外部制御装置８にピンSDO-１と駆動装置２０-４０を通して送られる。そこでオペレーターはそれに対しての措置をとる事ができる。この状況では、シリアルデータは元来、ステータスと画像データに含まれている。
他の可能状態として、発光ダイオードは点灯されるが、予期していたものより明るくない事があり、外部制御装置８はコマンドをシリアルバッファ１１に送ることがある。その時はモードスイッチ回路１７は、シリアルバッファ１１がコマンドをコマンドレジスタ１２への転送を生じさせる制御装置として他の信号を送る。  この実施例はコマンドはさらに電流設定回路１６へ、アナログ／デジタル変換器１８を通して送られ、そこで電流出力ポート151-158に対応する出力が決定される。
【０００９】
図4は駆動装置が非表示モードから表示モードへ進入する決定をする他のプレセットシークエンスを示している。このシークエンスに於いて持続時間T0の間に生じる位相2-1と位相2-2は判別される。
１）  パルス幅T1の第一プリセット信号がピンOE!によって受け取られる  場合、駆動装置１０は位相2-1に進入する。
２）  位相2-1に進入した後、そのままの第二プリセット信号は連続的にピンLE!によって受け取られ、位相2-2は終えられるとT0の中に表示され、駆動装置１０は非表示モードから抜け、表示モードへ戻る。
本発明はパルス幅T1とT2は、人間の目で視覚できない程充分短く、例えば1/30秒である。それゆえに表示モードと非表示モードとの切り替えは容認可能である。そのうえ図３に示した一連以来、表示装置を駆動する事に使われる事はめったに無く、ビジュアル効果への影響は無視されることができる。
上述で内部関係と駆動装置１０のオペレーション作用は説明される。一般的な用い方として、図１に示すような駆動セットが供給される。図１において、シリアルデータは駆動装置１０のピンSDI-1とSDO-1、駆動装置２０のピンSDI-2とSDO-2、…駆動装置４０のピンSDI-4とSDO-4を通り、最終的には外部制御装置８へと送られる。
本発明の駆動装置は、さらに電流出力ポートのうまく機能しない部分を探知する回路を含んでいる。ステータスは非表示モード上に示されるフィードバックに対してステータスレジスタへ転送される。
本発明により付加されたコマンド転送とステータスフィードバック作用は、駆動装置の追加信号ピンを新たに加えることなく動作を可能にする。
その上、駆動装置を直列に構成する駆動セットは、実際には表示装置に適用されることができる。
【００１０】
【発明の効果】
本発明は駆動装置が直列に配列される時のセット装置の提示である。
従来の各々の駆動装置は、シリアルデータ入力とシリアルデータ出力は画像データを転送し、さらにコマンド（命令）と/或は、駆動装置の内部ステータス（内部状態）を外部制御装置へ伝えていた。
それに従って、発明のコマンドトランスファと/或は、ステータスフィードバックの機能は、更なるピンを付け加えることなく目標を達成する事が出来る。
本発明は、駆動セットの型に適する装置もまた提示し、そこでコマンドレジスタと/或は、ステータスレジスタを供給される。
【図面の簡単な説明】
【図１】本発明に応じた駆動セットの実施例を示す。
【図２】本発明に応じた駆動装置の内部関係を示す。
【図３】駆動装置が表示モードから非表示モードへ進入する決定をするプレセットゼクェンツを示す。
【図４】駆動装置が非表示モードから表示モードへ進入する決定をする他のプレセットゼクェンツを示す。
【図５】従来の内部関係を示す。
【符号の説明】
駆動装置セット            １
駆動装置                  １０、２０、３０、４０
シリアルバッファ          １１、９１１
コマンドレジスタ          １２
ステータスレジスタ        １３
画像データレジスタ        １４、９１４
電流出力ポート            １５１〜１５８、９１５
電流設定回路              １６、９１６
モードスイッチ回路        １７
アナログ／デジタル変換器  １８
電流出力ピン              １９１〜１９８、９０１
外部制御装置              ８
【図１】
2004177918.tif 000003
【図２】
2004177918.tif 000004
【図３】
2004177918.tif 000005
【図４】
2004177918.tif 000006
【図５】
2004177918.tif 000007